(57)【要約】【課題】生体の深部体温Ｔｂを精度良く求めることができる深部体温計を提供すること。【解決手段】熱抵抗Ｒａをもつ断熱材２５と、体表面温度Ｔｔを検出する第１温度センサ２１と、大気温度Ｔａを検出する第２温度センサ２２とを備える。入力された深部体温Ｔｂの初期値を用いて、Ｔｂ＝Ｔａ＋｛（Ｒｔ＋Ｒａ）／Ｒａ｝×（Ｔｔ−Ｔａ）なる演算式を介して、Ｔｂの初期値に対応する体表面下の皮下組織９１の熱抵抗Ｒｔの初期値を求め、続いて、このＲｔの初期値と、Ｔｔと、Ｔａとを用いて、その演算式によってＴｂの現在値を求める。このＴｂの現在値を新たな初期値としてフィードバックして、その演算式を介してＴｂの現在値に対応するＲｔの値を求め、続いて、このＲｔの値と、Ｔｔと、Ｔａとを用いて、その演算式によってＴｂの新たな現在値を求める。【選択図】図６
2018013395.tif 000002
【特許請求の範囲】
【請求項１】
生体の深部体温を非侵襲で求める深部体温計であって、
上記生体の体表面に接触されるべき、熱抵抗をもつ断熱材と、
上記断熱材の上記体表面に対する接触面の温度を体表面温度として検出する第１温度センサと、
上記断熱材の上記接触面と反対側の大気に対する接触面の温度を大気温度として検出する第２温度センサと、
上記深部体温の初期値を表すデータを入力する入力部と、
上記入力された上記深部体温の初期値を用いて、
Ｔｂ＝Ｔａ＋｛（Ｒｔ＋Ｒａ）／Ｒａ｝×（Ｔｔ−Ｔａ）
（但し、Ｔｂは深部体温、Ｔｔは第１温度センサが検出する温度、Ｔａは第２温度センサが検出する温度、Ｒｔは皮下組織の熱抵抗、Ｒａは断熱材の熱抵抗をそれぞれ表す。）
なる演算式を介して、上記深部体温の上記初期値に対応する上記体表面下の皮下組織の熱抵抗の初期値を求め、続いて、この求めた皮下組織の熱抵抗の初期値と、上記第１温度センサが検出する現在の温度と、上記第２温度センサが検出する現在の温度とを用いて、上記演算式によって上記深部体温の現在値を求める第１の演算、および、
上記深部体温の現在値を新たな初期値としてフィードバックして、上記演算式を介して上記深部体温の上記現在値に対応する上記皮下組織の熱抵抗の値を求め、続いて、この求めた皮下組織の熱抵抗の値と、上記第１温度センサが検出する現在の温度と、上記第２温度センサが検出する現在の温度とを用いて、上記演算式によって上記深部体温の新たな現在値を求める第２の演算
を行う演算部と
を備えたことを特徴とする深部体温計。
【請求項２】
請求項１に記載の深部体温計において、
上記演算部によって求められた上記深部体温に関するデータを出力する出力部を備えたことを特徴とする深部体温計。
【請求項３】
請求項１または２に記載の深部体温計において、
上記第１温度センサが検出する温度が上記第２温度センサが検出する温度に等しい状態が予め定められた期間継続したか否かを判定する熱流状態判定部と、
その等しい状態が予め定められた期間継続したと判定されたとき、その期間終了時点で上記第１温度センサが検出した温度または上記第２温度センサが検出した温度を、上記深部体温の初期値として設定する第１初期値設定部とを備えたことを特徴とする深部体温計。
【請求項４】
請求項１または２に記載の深部体温計において、
上記断熱材、上記第１温度センサおよび上記第２温度センサの三要素が上記生体の体表面とこの体表面以外の部分とで覆われたか否かを判定する覆われ判定部と、
上記三要素が上記生体の体表面とこの体表面以外の部分とで覆われたと判定されたとき、上記第１温度センサが検出する温度または上記第２温度センサが検出する温度の時間変化に基づいて、上記第１温度センサが検出する温度または上記第２温度センサが検出する温度の予測される到達温度を求め、その予測される到達温度を上記深部体温の初期値として設定する第２初期値設定部とを備えたことを特徴とする深部体温計。
【請求項５】
請求項１または２に記載の深部体温計において、
上記入力された上記深部体温の新たな初期値を用いて上記演算部が上記第１の演算を開始すべきことを表す、予め定められたリフレッシュ条件が満たされたか否かを判定するリフレッシュ条件判定部を備えたことを特徴とする深部体温計。
【請求項６】
請求項５に記載の深部体温計において、
上記リフレッシュ条件が満たされたと判定されたとき、上記入力された上記深部体温の新たな初期値を用いて上記演算部が上記第１の演算を開始すべきことを報知するリフレッシュ要求報知部を備えたことを特徴とする深部体温計。
【請求項７】
請求項５または６に記載の深部体温計において、
上記第１温度センサが検出する温度が上記第２温度センサが検出する温度に等しい状態が予め定められた期間継続したか否かを判定する熱流状態判定部と、
その等しい状態が予め定められた期間継続したと判定されたとき、その期間終了時点で上記第１温度センサが検出した温度または上記第２温度センサが検出した温度を、上記深部体温の初期値として設定する第１初期値設定部と、
上記断熱材、上記第１温度センサおよび上記第２温度センサの三要素が上記生体の体表面とこの体表面以外の部分とで覆われたか否かを判定する覆われ判定部と、
上記三要素が上記生体の体表面とこの体表面以外の部分とで覆われたと判定されたとき、上記第１温度センサが検出する温度または上記第２温度センサが検出する温度の時間変化に基づいて、上記第１温度センサが検出する温度または上記第２温度センサが検出する温度の予測される到達温度を求め、その予測される到達温度を上記深部体温の初期値として設定する第２初期値設定部とを備え、
上記リフレッシュ条件が満たされたと判定されたとき、上記入力部は、上記第１初期値設定部または第２初期値設定部によって設定された上記深部体温の初期値を入力することを特徴とする深部体温計。
【請求項８】
請求項５から７までのいずれか一つに記載の深部体温計において、
上記リフレッシュ条件として、上記第１温度センサが検出する現在の温度が、上記第２温度センサが検出する現在の温度よりも大きく、かつ、上記演算部によって求められた深部体温の現在値よりも大きいという条件を含むことを特徴とする深部体温計。
【請求項９】
請求項１から８までのいずれか一つに記載の深部体温計において、
上記皮下組織の熱抵抗、上記断熱材の熱抵抗、上記第１温度センサが検出する温度、上記第２温度センサが検出する温度、および、上記演算部によって求められた深部体温を、時刻毎に互いに対応付けて記憶する記憶部を備えたことを特徴とする深部体温計。
【請求項１０】
請求項９に記載の深部体温計において、
上記演算部の上記フィードバックによって上記深部体温の現在値が求められ、かつ、上記入力部によって上記深部体温の新たな初期値が入力されたとき、上記演算部の上記フィードバックによって求められた上記深部体温の現在値と上記入力された上記深部体温の上記新たな初期値との間の温度差を求め、上記記憶部に上記時刻毎に記憶されている深部体温の値を、上記温度差を解消する向きにそれぞれ補正する補正部を備えたことを特徴とする深部体温計。
【請求項１１】
請求項１０に記載の深部体温計において、
上記補正部は、
上記演算式を介して、上記温度差に対応する上記皮下組織の熱抵抗の熱抵抗差を求め、
上記記憶部に上記時刻毎に記憶されている上記皮下組織の熱抵抗の値を、上記皮下組織の熱抵抗の上記熱抵抗差を解消する向きにそれぞれ補正し、
上記時刻毎の上記補正後の深部体温の値を、それぞれ、上記時刻毎の上記補正後の上記皮下組織の熱抵抗の値を用いて求めることを特徴とする深部体温計。
【請求項１２】
請求項１から１１までのいずれか一つに記載の深部体温計において、
上記入力部は、上記深部体温の初期値を表すデータを、無線通信によって外部から入力することを特徴とする深部体温計。
【請求項１３】
請求項１から１２までのいずれか一つに記載の深部体温計と、
上記深部体温計との間で無線通信可能で、表示器を有する情報端末とを備え、
上記情報端末は、上記表示器に、上記深部体温計から無線通信によって得られた上記深部体温に関する表示を行うことを特徴とするシステム。
【請求項１４】
請求項１３に記載のシステムにおいて、
上記情報端末は、上記深部体温に関して、時間的推移をグラフ化する処理、または、統計処理して得られた結果をグラフ化する処理を行う表示処理部を含むことを特徴とするシステム。
【請求項１５】
請求項１３または１４に記載のシステムにおいて、さらに、
上記深部体温を実測して、実測した深部体温を表すデータを無線通信で出力する温度測定デバイスを含み、
上記深部体温計の上記入力部は、そのデータを入力して上記深部体温の初期値とすることを特徴とするシステム。
【発明の詳細な説明】
【技術分野】
【０００１】
この発明は深部体温計に関し、より詳しくは、生体の深部の温度（深部体温）を非侵襲で求める深部体温計に関する。また、この発明は、そのような深部体温計を含むシステムに関する。
【背景技術】
【０００２】
従来、この種の深部体温計としては、例えば特許文献１（特開昭６１−１２００２６号公報）に開示されているように、生体の体表面に接触されるべき断熱材と、上記断熱材の体表面に対する接触面の温度Ｔｔを体表面温度として検出する温度センサと、上記断熱材の大気に対する接触面（前記接触面と反対側の面）の温度Ｔａを大気温度として検出する温度センサとを備えて、次の演算式Ｅｑ．１によって深部体温（核心温度）Ｔｂを求めるものが知られている。
Ｔｂ＝Ｔａ＋｛（Ｒｔ＋Ｒａ）／Ｒａ｝×（Ｔｔ−Ｔａ）          …（Ｅｑ．１）
ここで、Ｒｔは上記体表面下の皮下組織の熱抵抗、Ｒａは上記断熱材の熱抵抗をそれぞれ表している。同文献では、Ｒｔ、Ｒａが既知であることが前提とされている。
【先行技術文献】
【特許文献】
【０００３】
【特許文献１】特開昭６１−１２００２６号公報
【発明の概要】
【発明が解決しようとする課題】
【０００４】
ところで、皮下組織の熱抵抗Ｒｔは、個々の生体（被測定者）の皮下脂肪の厚さによって異なるし、また、大気温度などの環境、発汗などの活動状態によって変化する。このため、単に上記演算式Ｅｑ．１を用いて深部体温Ｔｂを算出するだけでは、測定精度が良くないという問題がある。なお、断熱材の熱抵抗の変化は、無視できる。
【０００５】
そこで、この発明の課題は、生体の深部体温を精度良く求めることができる深部体温計を提供することにある。
【０００６】
また、この発明の課題は、そのような深部体温計を含むシステムを提供することにある。
【課題を解決するための手段】
【０００７】
上記課題を解決するため、この発明の深部体温計は、
生体の深部体温を非侵襲で求める深部体温計であって、
上記生体の体表面に接触されるべき、熱抵抗をもつ断熱材と、
上記断熱材の上記体表面に対する接触面の温度を体表面温度として検出する第１温度センサと、
上記断熱材の上記接触面と反対側の大気に対する接触面の温度を大気温度として検出する第２温度センサと、
上記深部体温の初期値を表すデータを入力する入力部と、
上記入力された上記深部体温の初期値を用いて、
Ｔｂ＝Ｔａ＋｛（Ｒｔ＋Ｒａ）／Ｒａ｝×（Ｔｔ−Ｔａ）          …（Ｅｑ．１）
（但し、Ｔｂは深部体温、Ｔｔは第１温度センサが検出する温度、Ｔａは第２温度センサが検出する温度、Ｒｔは皮下組織の熱抵抗、Ｒａは断熱材の熱抵抗をそれぞれ表す。）
なる演算式を介して、上記深部体温の上記初期値に対応する上記体表面下の皮下組織の熱抵抗の初期値を求め、続いて、この求めた皮下組織の熱抵抗の初期値と、上記第１温度センサが検出する現在の温度と、上記第２温度センサが検出する現在の温度とを用いて、上記演算式によって上記深部体温の現在値を求める第１の演算、および、
上記深部体温の現在値を新たな初期値としてフィードバックして、上記演算式を介して上記深部体温の上記現在値に対応する上記皮下組織の熱抵抗の値を求め、続いて、この求めた皮下組織の熱抵抗の値と、上記第１温度センサが検出する現在の温度と、上記第２温度センサが検出する現在の温度とを用いて、上記演算式によって上記深部体温の新たな現在値を求める第２の演算
を行う演算部と
を備えたことを特徴とする。
【０００８】
本明細書で、入力部が入力する深部体温の初期値を表すデータは、この深部体温計のユーザ（被測定者を含む。）が、この深部体温計の断熱材、第１温度センサおよび第２温度センサの三要素を用いて（例えば上記三要素を被測定者の体表面とこの体表面以外の部分とで覆って）取得されたデータであってもよいし、この深部体温計の外部で取得されたデータであってもよい。
【０００９】
また、「現在」とは、演算部が処理を実行している時点を指す。つまり、「現在」は、上記演算部の処理の実行に伴って、刻々進行してゆく。
【００１０】
この発明の深部体温計が生体に装着された状態では、上記生体の体表面に熱抵抗をもつ断熱材が接触される。上記断熱材の熱抵抗の変化は、無視できるものとする。第１温度センサは、上記断熱材の上記体表面に対する接触面の温度を体表面温度として検出する。第２温度センサは、上記断熱材の上記接触面と反対側の大気に対する接触面の温度を大気温度として検出する。この状態で、入力部は、上記深部体温の初期値を表すデータを入力する。
【００１１】
すると、演算部は、上記入力された上記深部体温の初期値を用いて、
Ｔｂ＝Ｔａ＋｛（Ｒｔ＋Ｒａ）／Ｒａ｝×（Ｔｔ−Ｔａ）          …（Ｅｑ．１）
なる演算式を介して、上記深部体温の初期値に対応する上記体表面下の皮下組織の熱抵抗の初期値を求め、続いて、この求めた皮下組織の熱抵抗の初期値と、上記第１温度センサが検出する現在の温度と、上記第２温度センサが検出する現在の温度とを用いて、上記演算式によって上記深部体温の現在値を求める第１の演算を行う。
【００１２】
次に、上記演算部は、上記深部体温の現在値を新たな初期値としてフィードバックして、上記演算式を介して上記深部体温の上記現在値に対応する上記皮下組織の熱抵抗の値を求め、続いて、この求めた皮下組織の熱抵抗の値と、上記第１温度センサが検出する現在の温度と、上記第２温度センサが検出する現在の温度とを用いて、上記演算式によって上記深部体温の新たな現在値を求める第２の演算を行う。
【００１３】
このように動作する場合、上記演算部によって求められた深部体温の現在値には、直前の皮下組織の熱抵抗の値が反映される。したがって、この深部体温計によれば、生体の深部体温を精度良く求めることができる。
【００１４】
なお、上記演算部は、上記入力部によって上記深部体温の新たな初期値が入力されない限り、第２の演算を繰り返すのが望ましい。それにより、上記深部体温の現在値を繰り返し継続的に求めることができる。
【００１５】
また、上記深部体温計は、上記演算部によって求められた上記深部体温を表すデータを出力する出力部を備えるのが望ましい。
【００１６】
一実施形態の深部体温計では、上記演算部によって求められた上記深部体温に関するデータを出力する出力部を備えたことを特徴とする。
【００１７】
「深部体温に関するデータ」は、上記演算部によって求められた上記深部体温の現在値およびそれに関連したデータを含む広い概念である。
【００１８】
この一実施形態の深部体温計では、上記出力部は、上記演算部によって求められた上記深部体温に関するデータを出力する。したがって、この深部体温計のユーザ（被測定者を含む。）は、上記深部体温に関するデータを知ることができる。
【００１９】
一実施形態の深部体温計では、
上記第１温度センサが検出する温度が上記第２温度センサが検出する温度に等しい状態が予め定められた期間継続したか否かを判定する熱流状態判定部と、
その等しい状態が予め定められた期間継続したと判定されたとき、その期間終了時点で上記第１温度センサが検出した温度または上記第２温度センサが検出した温度を、上記深部体温の初期値として設定する第１初期値設定部とを備えたことを特徴とする。
【００２０】
この一実施形態の深部体温計では、熱流状態判定部が、上記第１温度センサが検出する温度が上記第２温度センサが検出する温度に等しい状態が予め定められた期間継続したか否かを判定する。上記第１温度センサが検出する温度が上記第２温度センサが検出する温度に等しい状態が予め定められた期間継続したときは、上記生体の深部から大気への熱流（または大気から上記生体の深部への熱流）が無い状態であると考えられる。そのとき、第１初期値設定部は、その期間終了時点で上記第１温度センサが検出した温度または上記第２温度センサが検出した温度を、上記深部体温の初期値として設定する。これにより、ユーザが外部から上記深部体温の初期値を入力しなくても、また、深部体温計が特別なハードウェアを備えなくても、上記深部体温の初期値が精度良く得られる。
【００２１】
一実施形態の深部体温計では、
上記断熱材、上記第１温度センサおよび上記第２温度センサの三要素が上記生体の体表面とこの体表面以外の部分とで覆われたか否かを判定する覆われ判定部と、
上記三要素が上記生体の体表面とこの体表面以外の部分とで覆われたと判定されたとき、上記第１温度センサが検出する温度または上記第２温度センサが検出する温度の時間変化に基づいて、上記第１温度センサが検出する温度または上記第２温度センサが検出する温度の予測される到達温度を求め、その予測される到達温度を上記深部体温の初期値として設定する第２初期値設定部とを備えたことを特徴とする。
【００２２】
この一実施形態の深部体温計では、覆われ判定部が、上記断熱材、上記第１温度センサおよび上記第２温度センサの三要素が上記生体の体表面とこの体表面以外の部分とで覆われたか否かを判定する。上記三要素が上記生体の体表面とこの体表面以外の部分とで覆われたと判定されたとき、上記生体の深部から大気への熱流が無い状態に次第に移行すると考えられる。そのとき、第２初期値設定部は、上記第１温度センサが検出する温度または上記第２温度センサが検出する温度の時間変化に基づいて、上記第１温度センサが検出する温度または上記第２温度センサが検出する温度の予測される到達温度を求め、その予測される到達温度を上記深部体温の初期値として設定する。これにより、ユーザが外部から上記深部体温の初期値を入力しなくても、上記深部体温の初期値が精度良く得られる。しかも、到達温度を予測しているので、到達温度したがって上記深部体温の初期値が迅速に得られる。
【００２３】
一実施形態の深部体温計では、上記入力された上記深部体温の新たな初期値を用いて上記演算部が上記第１の演算を開始すべきことを表す、予め定められたリフレッシュ条件が満たされたか否かを判定するリフレッシュ条件判定部を備えたことを特徴とする。
【００２４】
本明細書で、「リフレッシュ」とは、上記入力された上記深部体温の新たな初期値を用いて上記演算部が上記第１の演算を開始することを意味する。
【００２５】
上記演算部によって求められた深部体温の現在値が何らかの原因によって異常になった場合などには、上記入力された上記深部体温の新たな初期値を用いて上記演算部が上記第１の演算を開始（リフレッシュ）すべきと考えられる。そこで、この一実施形態の深部体温計では、リフレッシュ条件判定部は、上記入力された上記深部体温の新たな初期値を用いて上記演算部が上記第１の演算を開始すべきことを表す、予め定められたリフレッシュ条件が満たされたか否かを判定する。したがって、上記リフレッシュ判定部によって、リフレッシュを行うべきか否かが正しく判断される。
【００２６】
一実施形態の深部体温計では、上記リフレッシュ条件が満たされたと判定されたとき、上記入力された上記深部体温の新たな初期値を用いて上記演算部が上記第１の演算を開始すべきことを報知するリフレッシュ要求報知部を備えたことを特徴とする。
【００２７】
この一実施形態の深部体温計では、上記リフレッシュ条件が満たされたと判定されたとき、リフレッシュ要求報知部は、上記入力された上記深部体温の新たな初期値を用いて上記演算部が上記第１の演算を開始すべきことを報知する。したがって、この報知によって、ユーザは、リフレッシュを可能にすることを促される。これにより、ユーザは、例えば、この深部体温計とは別の温度測定デバイス（体温計など）によって上記深部体温の初期値を取得し、その深部体温の初期値を表すデータを、上記入力部を介して入力することができる。その結果、リフレッシュが行われて、上記演算部によって求められた深部体温の現在値が再び精度の良いものとなる。
【００２８】
一実施形態の深部体温計では、
上記第１温度センサが検出する温度が上記第２温度センサが検出する温度に等しい状態が予め定められた期間継続したか否かを判定する熱流状態判定部と、
その等しい状態が予め定められた期間継続したと判定されたとき、その期間終了時点で上記第１温度センサが検出した温度または上記第２温度センサが検出した温度を、上記深部体温の初期値として設定する第１初期値設定部と、
上記断熱材、上記第１温度センサおよび上記第２温度センサの三要素が上記生体の体表面とこの体表面以外の部分とで覆われたか否かを判定する覆われ判定部と、
上記三要素が上記生体の体表面とこの体表面以外の部分とで覆われたと判定されたとき、上記第１温度センサが検出する温度または上記第２温度センサが検出する温度の時間変化に基づいて、上記第１温度センサが検出する温度または上記第２温度センサが検出する温度の予測される到達温度を求め、その予測される到達温度を上記深部体温の初期値として設定する第２初期値設定部とを備え、
上記リフレッシュ条件が満たされたと判定されたとき、上記入力部は、上記第１初期値設定部または第２初期値設定部によって設定された上記深部体温の初期値を入力することを特徴とする。
【００２９】
この一実施形態の深部体温計では、上記リフレッシュ条件が満たされたと判定されたとき、上記入力部は、上記第１初期値設定部または第２初期値設定部によって設定された上記深部体温の初期値を入力する。したがって、リフレッシュを行うべきときにリフレッシュが行われて、上記演算部によって求められた深部体温の現在値が精度の良いものとなる。
【００３０】
一実施形態の深部体温計では、上記リフレッシュ条件として、上記第１温度センサが検出する現在の温度が、上記第２温度センサが検出する現在の温度よりも大きく、かつ、上記演算部によって求められた深部体温の現在値よりも大きいという条件を含むことを特徴とする。
【００３１】
熱流の観点から、上記第１温度センサが検出する現在の温度が、上記第２温度センサが検出する現在の温度よりも大きいことは、体表面から大気へ向かう熱流が存在することを意味する。一方、上記第１温度センサが検出する現在の温度が、上記演算部によって求められた深部体温の現在値よりも大きいことは、体表面から生体の深部へ向かう熱流が存在することを意味する。したがって、それらの関係は本来同時に成立し得ない、と考えられる。そこで、この一実施形態の深部体温計では、上記リフレッシュ条件として、上記第１温度センサが検出する現在の温度が、上記第２温度センサが検出する現在の温度よりも大きく、かつ、上記演算部によって求められた深部体温の現在値よりも大きいという条件を含む。これにより、熱流の観点から異常が生じた場合に、上記リフレッシュ判定部によってリフレッシュ条件が満たされたと確実に判定される。
【００３２】
一実施形態の深部体温計では、上記皮下組織の熱抵抗、上記断熱材の熱抵抗、上記第１温度センサが検出する温度、上記第２温度センサが検出する温度、および、上記演算部によって求められた深部体温を、時刻毎に互いに対応付けて記憶する記憶部を備えたことを特徴とする。
【００３３】
この一実施形態の深部体温計では、記憶部は、上記皮下組織の熱抵抗、上記断熱材の熱抵抗、上記第１温度センサが検出する温度、上記第２温度センサが検出する温度、および、上記演算部によって求められた深部体温を、時刻毎に互いに対応付けて記憶する。したがって、この記憶部の記憶内容を参照することによって、上記出力部を介して、深部体温に関する様々なデータを出力することができる。
【００３４】
一実施形態の深部体温計では、上記演算部の上記フィードバックによって上記深部体温の現在値が求められ、かつ、上記入力部によって上記深部体温の新たな初期値が入力されたとき、上記演算部の上記フィードバックによって求められた上記深部体温の現在値と上記入力された上記深部体温の上記新たな初期値との間の温度差を求め、上記記憶部に上記時刻毎に記憶されている深部体温の値を、上記温度差を解消する向きにそれぞれ補正する補正部を備えたことを特徴とする。
【００３５】
この一実施形態の深部体温計では、上記演算部の上記フィードバックによって上記深部体温の現在値が求められると共に、上記入力部によって上記深部体温の新たな初期値が入力されたとき、補正部は、上記演算部の上記フィードバックによって求められた上記深部体温の現在値と上記入力された上記深部体温の上記新たな初期値との間の温度差を求め、上記記憶部に上記時刻毎に記憶されている深部体温の値を、上記温度差を解消する向きにそれぞれ補正する。これにより、補正後の深部体温の値は、上記皮下組織の熱抵抗の現在の値（入力された上記深部体温の新たな初期値に対応する）を反映したものとなる。したがって、この深部体温計によれば、生体の深部体温をさらに精度良く求めることができる。なお、補正後の深部体温の値は、上記記憶部に上記時刻毎に記憶され得る。
【００３６】
一実施形態の深部体温計では、上記補正部は、
上記演算式を介して、上記温度差に対応する上記皮下組織の熱抵抗の熱抵抗差を求め、
上記記憶部に上記時刻毎に記憶されている上記皮下組織の熱抵抗の値を、上記皮下組織の熱抵抗の上記熱抵抗差を解消する向きにそれぞれ補正し、
上記時刻毎の上記補正後の深部体温の値を、それぞれ、上記時刻毎の上記補正後の上記皮下組織の熱抵抗の値を用いて求めることを特徴とする。
【００３７】
この一実施形態の深部体温計によれば、上記時刻毎の上記補正後の深部体温の値を精度良く求めることができる。
【００３８】
一実施形態の深部体温計では、上記入力部は、上記深部体温の初期値を表すデータを、無線通信によって外部から入力することを特徴とする。
【００３９】
ここで、「外部から入力する」とは、この深部体温計とは別の温度測定デバイス（体温計など）から無線通信によって直接に入力する場合と、スマートフォンなどを介して間接に入力する場合とを含む。
【００４０】
この一実施形態の深部体温計では、上記入力部は、上記深部体温の初期値を表すデータを、無線通信によって外部から入力する。したがって、上記深部体温の初期値を表すデータを簡単に入力できる。
【００４１】
別の局面では、この発明のシステムは、
上記深部体温計と、
上記深部体温計との間で無線通信可能で、表示器を有する情報端末とを備え、
上記情報端末は、上記表示器に、上記深部体温計から無線通信によって得られた上記深部体温に関する表示を行うことを特徴とする。
【００４２】
この発明のシステムでは、上記情報端末は、上記表示器に、上記深部体温計から無線通信によって得られた上記深部体温に関する表示を行う。したがって、ユーザは、上記情報端末の上記表示器を見て、上記深部体温に関する情報を知ることができる。
【００４３】
一実施形態のシステムでは、上記情報端末は、上記深部体温に関して、時間的推移をグラフ化する処理、または、統計処理して得られた結果をグラフ化する処理を行う表示処理部を含むことを特徴とする。
【００４４】
この一実施形態のシステムでは、上記情報端末の表示処理部は、上記深部体温に関して、時間的推移をグラフ化する処理、または、統計処理して得られた結果をグラフ化する処理を行う。この結果、上記表示器に、上記深部体温の時間的推移を表すグラフ、または、上記深部体温を統計処理して得られた結果を表すグラフを表示できる。
【００４５】
一実施形態のシステムでは、さらに、
上記深部体温を実測して、実測した深部体温を表すデータを無線通信で出力する温度測定デバイスを含み、
上記深部体温計の上記入力部は、そのデータを入力して上記深部体温の初期値とすることを特徴とする。
【００４６】
この一実施形態のシステムは、温度測定デバイスは、上記深部体温を実測して、実測した深部体温を表すデータを無線通信で出力する。上記深部体温計の上記入力部は、そのデータを入力して上記深部体温の初期値とする。したがって、上記深部体温の初期値を表すデータを簡単に入力できる。
【発明の効果】
【００４７】
以上より明らかなように、この発明の深部体温計およびシステムによれば、生体の深部体温を精度良く求めることができる。
【図面の簡単な説明】
【００４８】
【図１】この発明の一実施形態の深部体温計の外観を示す斜視図である。
【図２】図１の深部体温計を上方から見たところを示す平面図である。
【図３】図２におけるIII−III線矢視断面を示す図である。
【図４】上記深部体温計の制御系のブロック構成を示す図である。
【図５】上記深部体温計が体表面に装着された態様を示す図である。
【図６】図５に対応して、生体の深部と大気との間の熱流の等価回路を模式的に示す図である。
【図７】上記深部体温計の動作の概略フローを示す図である。
【図８】上記深部体温計の動作におけるデータ補正のフローを示す図である。
【図９】図９（Ａ）、図９（Ｂ）は、それぞれ上記深部体温計における深部体温の初期値を設定するフローを示す図である。
【図１０】上記深部体温計におけるリフレッシュ条件判定のフローを示す図である。
【図１１】図１１（Ａ）〜図１１（Ｄ）は、上記データ補正の仕方を、データの時間的推移のグラフを用いて模式的に説明する図である。
【図１２】上記深部体温計を含むシステムの構成を例示する図である。
【図１３】上記システムを構成するスマートフォンの表示器に表示された深部体温の表示例を示す図である。
【図１４】上記システムを構成するスマートフォンの表示器に表示された深部体温の別の表示例を示す図である。
【図１５】上記システムの動作のフローを示す図である。
【発明を実施するための形態】
【００４９】
以下、この発明の実施の形態を、図面を参照しながら詳細に説明する。
【００５０】
（第１実施形態）
図１は、この発明の一実施形態の深部体温計（全体を符号１０で示す。）の外観を斜めから見たところを示している。図２は、その深部体温計１０上方から見たところを示している。また、図３は、図２におけるIII−III線矢視断面を示している。なお、「上方」や、後述の「下方」、「上部」、「下部」などは、深部体温計１０の外形を説明するための便宜上の呼称にすぎない。この深部体温計１０は、生体（被測定者）の深部体温Ｔｂを非侵襲で求めるものであり、被測定者の体表面（例えば、腋の下など）に対して、如何なる向きにでも貼り付け可能である。
【００５１】
これらの図１〜図３によって分かるように、この深部体温計１０は、概ね長円形の平面形状をもつ偏平なケーシング１１を有している。ケーシング１１の長手方向の寸法Ｌ（図２中に示す。）は、例えば約４ｃｍに設定されている。ケーシング１１の短手方向（長手方向に対して垂直な方向）の寸法Ｗ（図２中に示す。）は、例えば約２ｃｍに設定されている。また、ケーシング１１の高さ寸法Ｈ（図３中に示す。）は、例えば約５ｍｍに設定されている。なお、ケーシング１１の寸法Ｌ，Ｗ，Ｈは、例示した値に限られるものではない。
【００５２】
図２，図３によって分かるように、ケーシング１１は、ケーシング上部１２と、ケーシング下部１３とを、皿ネジ１８，１９によって一体に組み合わせて構成されている。ケーシング上部１２の内側には、矩形の平面形状をもち下方へ向かって開いた凹部１２ｃが形成されている。さらに、ケーシング上部１２のうち凹部１２ｃに対応する部分には、円形の平面形状をもつ貫通孔１２ｄが形成されている。この貫通孔１２ｄは、ケーシング１１の上面１１ａに開口している。
【００５３】
一方、ケーシング下部１３の内側には、矩形の平面形状をもち上方へ向かって開いた凹部１３ｃが形成されている。さらに、この凹部１３ｃの中央には、円形の平面形状をもつ凹部１３ｄが形成されている。この結果、ケーシング下部１３のうち凹部１３ｄに対応する部分（凹部１３ｄの底面とケーシング１１の下面１１ｂとの間の部分）の肉厚は、厚さ方向の伝熱性を高めるために比較的薄く、例えば約１ｍｍに設定されている。この凹部１３ｄの直径は、ケーシング上部１２の貫通孔１２ｄの直径と略等しく、例えば約１０ｍｍに設定されている。
【００５４】
ケーシング上部１２とケーシング下部１３とが組み合わされた状態では、上述の凹部１２ｃ，凹部１３ｃによって、ケーシング１１の内部空間１１ｉが形成されている。この内部空間１１ｉに、ケーシング下部１３の凹部１３ｄに嵌合する状態で、円柱状の断熱材２５が収容されている。また、この内部空間１１ｉに、後述の制御系が搭載されている。
【００５５】
断熱材２５の下面２５ｂは、この例では図示しない接着剤によって、凹部１３ｄの平坦な底面に接着されている。下面２５ｂと凹部１３ｄの底面との間には、第１温度センサ２１が埋設されている。断熱材２５の上面２５ａは、ケーシング上部１２の貫通孔１２ｄを丁度塞ぐ態様で、ケーシング１１の外部の空間に面している。断熱材２５の上面２５ａには、第２温度センサ２２が埋設されている。
【００５６】
この例では、ケーシング１１の材料は、この例では、概ねＡＢＳ（アクリロニトリルブタジエンスチレン共重合体）またはＰＥＴ（ポリエチレンテレフタレート）からなっている。ただし、ケーシング下部１３のうち凹部１３ｄに対応する部分は、伝熱性を有する材料、この例ではステンレス鋼（ＳＵＳ３０４−２Ｂ）からなっている。断熱材２５は、この例ではセルロイド、ポリエチレンまたはシリコーンゴムからなり、一定の熱抵抗（符号Ｒａで表す。）を有している。第１温度センサ２１、第２温度センサ２２は、この例ではいずれもサーミスタからなっている。ただし、熱電対であっても良い。なお、ケーシング１１、断熱材２５の材料は、例示した材料に限定されるものではない。
【００５７】
図４は、この深部体温計１０の制御系（ケーシング１１の内部空間１１ｉに搭載されている）のブロック構成を示している。この深部体温計１０は、上述の第１温度センサ２１、第２温度センサ２２および断熱材２５に加えて、制御部３０と、記憶部としてのメモリ３１と、通信部３８と、ブザー３７と、電池３９とを備えている。
【００５８】
制御部３０は、ＣＰＵ（Central Processing Unit；中央演算処理装置）およびその補助回路を含み、後述の各種の処理を実行する。すなわち、制御部３０は、第１温度センサ２１、第２温度センサ２２が出力する温度データを処理し、処理したデータを、メモリ３１に記憶させたり、通信部３８から出力させたりする。
【００５９】
メモリ３１は、この深部体温計１０を制御するためのプログラムのデータ、深部体温計１０の各種機能を設定するための設定データ、深部体温の測定結果のデータなどを非一時的に記憶する（後掲の表１のデータテーブル参照）。また、メモリ３１は、プログラムが実行されるときのワークメモリなどとして用いられる。
【００６０】
通信部３８は、制御部３０によって制御されて所定の情報をネットワーク９００を介して出力部として外部の装置に送信したり、また、外部の装置からの情報をネットワーク９００を介して入力部として受信して制御部３０に受け渡したりする。このネットワーク９００を介した通信は、この例では無線通信（例えば、ＢＴ（Bluetooth（登録商標））通信、ＢＬＥ（Bluetooth low energy）通信など）とする。ネットワーク９００は、典型的には家庭内ＬＡＮ（Local Area Network）、病院内ＬＡＮであるが、これに限定されず、インターネットなどであってもよい。
【００６１】
ブザー３７は、制御部３０による制御に従って、この例ではアラーム音を発生させる。
【００６２】
電池３９は、この例ではリチウムイオン電池（２次電池）からなり、この深部体温計１０の各部へ電力を供給する。この例では、このリチウムイオン電池は、非接触電力伝送（無接点充電）によって充電可能になっている。
【００６３】
図５に示すように、この深部体温計１０は、ケーシング１１の下面１１ｂが被測定者の体表面９０に接触し、ケーシング１１の上面１１ａが大気９９に接触する状態で装着される。体表面９０の下には、皮下組織（主に皮下脂肪）９１を介して、温度（深部体温）が測定されるべき深部９２が存在している。ここで、熱流に関して、定常状態では、図６中に示すような等価回路が成立する。図６において、Ｔｂは深部体温、Ｔｔは体表面９０の温度（体表面温度）、Ｔａは大気温度、Ｒｔは皮下組織９１の熱抵抗、Ｒａは断熱材２５の熱抵抗をそれぞれ表している。第１温度センサ２１は、断熱材２５の体表面９０に対する接触面（ケーシング１１の下面）１１ｂの温度を体表面温度Ｔｔとして検出する。第２温度センサ２２は、断熱材２５の大気９９に対する接触面（上面）２５ａの温度を大気温度Ｔａとして検出する。以下では、簡単のため、第１温度センサ２１が検出する温度をＴｔ、第２温度センサ２２が検出する温度をＴａと表す。
【００６４】
この深部体温計１０は、制御部３０による制御によって、図７に示すフローに従って動作する。
【００６５】
例えば、被測定者であるユーザが、予め市販の体温計（深部体温計１０とは別の）を自身の口中に一時的に挿入して深部体温Ｔｂを実測し、実測された深部体温Ｔｂを表すデータを、外部の装置（例えば、市販のパーソナルコンピュータ）から無線通信によって深部体温計１０へ送信するものとする。
【００６６】
すると、深部体温計１０では、図７のステップＳ１に示すように、制御部３０が通信部３８を入力部として機能させて、そのデータを深部体温Ｔｂの初期値Ｔｂ０として入力する。
【００６７】
次に、図７のステップＳ２に示すように、制御部３０が演算部として働いて、入力された深部体温Ｔｂの初期値Ｔｂ０を用いて、
Ｔｂ＝Ｔａ＋｛（Ｒｔ＋Ｒａ）／Ｒａ｝×（Ｔｔ−Ｔａ）          …（Ｅｑ．１）
（但し、Ｔｂは深部体温、Ｔｔは第１温度センサ２１が検出する温度、Ｔａは第２温度センサ２２が検出する温度、Ｒｔは皮下組織９１の熱抵抗、Ｒａは断熱材２５の熱抵抗Ｒａをそれぞれ表す。Ｒａは一定値で既知であるものとする。）
なる演算式Ｅｑ．１を介して、深部体温Ｔｂの初期値Ｔｂ０に対応する体表面９０下の皮下組織９１の熱抵抗Ｒｔの初期値Ｒｔ０を算出する。続いて、図７のステップＳ３に示すように、制御部３０は、この求めた皮下組織９１の熱抵抗Ｒｔの初期値Ｒｔ０と、第１温度センサ２１が検出する現在の温度Ｔｔと、第２温度センサ２２が検出する現在の温度Ｔａとを用いて、演算式Ｅｑ．１によって深部体温Ｔｂの現在値Ｔｂｉを求める。なお、ステップＳ２〜Ｓ３の演算を「第１の演算」と呼ぶ。また、「現在」とは、制御部３０が処理を実行している時点を指す。つまり、「現在」は、制御部３０による処理の実行に伴って、刻々進行してゆく。パラメータｉは、処理フローの繰り返し（ターン）に伴ってインクリメント（１ずつ増加）される。
【００６８】
次に、図７のステップＳ４に示すように、制御部３０が演算部として働いて、深部体温Ｔｂの現在値Ｔｂｉを新たな初期値Ｔｂ０′としてフィードバックして、演算式Ｅｑ．１を介して深部体温Ｔｂの現在値Ｔｂｉに対応する皮下組織９１の熱抵抗Ｒｔの値Ｒｔｉを求める。続いて、図７のステップＳ５に示すように、制御部３０は、この求めた皮下組織９１の熱抵抗Ｒｔの値Ｒｔｉと、第１温度センサ２１が検出する現在の温度Ｔｔと、第２温度センサ２２が検出する現在の温度Ｔａとを用いて、演算式Ｅｑ．１によって深部体温Ｔｂの新たな現在値Ｔｂｉ＋１を求める。なお、ステップＳ４〜Ｓ５の演算を「第２の演算」と呼ぶ。
【００６９】
次に、図７のステップＳ６に示すように、制御部３０は、得られたデータをメモリ３１に設定されたデータテーブル（後掲の表１のデータテーブル参照）に記録する。具体的には、このデータテーブルに、皮下組織９１の熱抵抗Ｒｔ、断熱材２５の熱抵抗Ｒａ、第１温度センサ２１が検出する温度Ｔｔ、第２温度センサ２２が検出する温度Ｔａ、および、制御部３０によって求められた深部体温Ｔｂを、互いに対応付けて記憶させる。
【００７０】
次に、図７のステップＳ７に示すように、制御部３０は、深部体温Ｔｂの新たな初期値Ｔｂ０′が入力されない限り（ステップＳ７でＮＯ）、ステップＳ４に戻って、第２の演算（ステップＳ４〜Ｓ５）を繰り返し、得られたデータをメモリ３１に設定されたデータテーブルに記録する（ステップＳ６）。この例では、ステップＳ４〜Ｓ６の処理は、予め定められた周期（この例では１分間）毎に繰り返されるものとする。なお、繰り返しの周期は、例示した値に限られるものではない。
【００７１】
このようにして、後掲の表１のデータテーブルに、皮下組織９１の熱抵抗Ｒｔ、断熱材２５の熱抵抗Ｒａ、第１温度センサ２１が検出する温度Ｔｔ、第２温度センサ２２が検出する温度Ｔａ、および、求められた深部体温Ｔｂが、時刻毎に、この例では１分間毎に互いに対応付けて記録される。なお、断熱材２５の熱抵抗Ｒａは、この例では一定値であると仮定されているので、表１のデータテーブルから省略され得る。
【００７２】
ここで、表１の表側（最左欄）には、年月日と時刻が、例えば「2016/05/19  07:00」のように表されている。表１の表頭には、データの項目名である「Ｒｔ」、「補正後Ｒｔ」、「Ｒａ」、「Ｔｔ」、「Ｔａ」、「Ｔｂ」、「補正後Ｔｂ」がそれぞれの単位とともに表されている（なお、「補正後Ｒｔ」、「補正後Ｔｂ」については、後述の図８のフローに関して説明する。）。表１の表体には、図７のフローによって得られた具体的な数値が記録されている。表１の表体中で、具体的な数値の下に付記された括弧書き（Ｒｔ０）、（Ｔｔ０）、（Ｔａ０）、（Ｔｂ０）、…、（Ｒｔｉ）、（Ｔｔｉ）、（Ｔａｉ）、（Ｔｂｉ）、…は、それらの数値が時刻毎に得られたＲｔ、Ｔｔ、Ｔａ、Ｔｂの値であることを表している。
（表１）データテーブル
2018013395.tif 000003
【００７３】
一方、図７のステップＳ７で、深部体温Ｔｂの新たな初期値Ｔｂ０′が入力されたとき（ステップＳ７でＹＥＳ）、図７のステップＳ８に進んで、制御部３０が補正部として働いて、表１のデータテーブルに記録されているデータを補正する。データ補正が完了すると、図７のステップＳ２に戻って、第１の演算（ステップＳ２〜Ｓ３）、第２の演算（ステップＳ４〜Ｓ５）、データの記録（ステップＳ６）を繰り返す。なお、入力された深部体温Ｔｂの新たな初期値Ｔｂ０′を用いて再び第１の演算（ステップＳ２〜Ｓ３）を開始することを、「リフレッシュ」と呼ぶ。
【００７４】
このように動作する場合、制御部３０によって求められた深部体温Ｔｂの現在値Ｔｂｉ，Ｔｂｉ＋１，…には、それぞれ直前の皮下組織９１の熱抵抗Ｒｔの値Ｒｔ０，Ｒｔｉ，…が反映される。したがって、この深部体温計１０によれば、生体の深部体温Ｔｂを精度良く求めることができる。また、深部体温Ｔｂの現在値Ｔｂｉ，Ｔｂｉ＋１，…を繰り返し継続的に求めることができる。
【００７５】
この例では、データ補正（図７のステップＳ８）は、図８のフローに従って、次のようにして行われる。
【００７６】
ここで、図７のステップＳ７で深部体温Ｔｂの新たな初期値Ｔｂ０′が入力されたとき、その時点で、表１中の「Ｔｂ」欄に示すように、深部体温Ｔｂの値Ｔｂ０，Ｔｂ１，Ｔｂ２，…，Ｔｂｉ，…，Ｔｂｎ−１，Ｔｂｎが得られていたものとする。図１１（Ａ）に、深部体温Ｔｂのこれらの値の時間的推移を示すグラフＣ１を示している。また、表１中の「Ｒｔ」欄に示すように、深部体温Ｔｂのｎ個の値Ｔｂ０，Ｔｂ１，Ｔｂ２，…，Ｔｂｉ，…，Ｔｂｎ−１，Ｔｂｎに対応して、皮下組織９１の熱抵抗Ｒｔの値Ｒｔ０，Ｒｔ１，Ｒｔ２，…，Ｒｔｉ，Ｒｔｉ＋１，…，Ｒｔｎ−１，Ｒｔｎが得られていたものとする。図１１（Ｂ）に、皮下組織９１の熱抵抗Ｒｔのこれらの値の時間的推移を示すグラフＣ２を示している。
【００７７】
まず、図８のステップＳ１１に示すように、制御部３０は、フィードバックによって求められた深部体温Ｔｂの現在値Ｔｂｎと入力された深部体温Ｔｂの新たな初期値Ｔｂ０′との間の温度差（Ｔｂ０′−Ｔｂｎ）を求める。この例では、図１１（Ａ）中に示すように、Ｔｂ０′＞Ｔｂｎであったものとする。
【００７８】
次に、図８のステップＳ１２に示すように、制御部３０は、演算式Ｅｑ．１を介して、深部体温Ｔｂの新たな初期値Ｔｂ０′に対応する皮下組織９１の熱抵抗Ｒｔの値Ｒｔ０′を求めた後、上記温度差（Ｔｂ０′−Ｔｂｎ）に対応する皮下組織９１の熱抵抗Ｒｔの熱抵抗差（Ｒｔ０′−Ｒｔｎ）を求める。この例では、図１１（Ｂ）中に示すように、Ｒｔ０′＞Ｒｔｎであったものとする。
【００７９】
次に、図８のステップＳ１３に示すように、制御部３０は、表１のデータテーブルに時刻毎に記憶されている皮下組織９１の熱抵抗Ｒｔの値Ｒｔ１，Ｒｔ２，…，Ｒｔｉ，…，Ｒｔｎ−１を、その熱抵抗差（Ｒｔ０′−Ｒｔｎ）を解消する向きにそれぞれ補正する。この例では、
Ｒｔｉ″＝Ｒｔｉ＋｛（Ｒｔ０′−Ｒｔｎ）／ｎ｝×ｉ              …（Ｅｑ．２）
（但し、ｉ＝１，２，…，ｎ−１とする。）
なる演算式Ｅｑ．２によって、補正後の皮下組織９１の熱抵抗Ｒｔの値Ｒｔ１″，Ｒｔ２″，…，Ｒｔｉ″，…，Ｒｔｎ−１″を求める。この演算は、図１１（Ｃ）中に示すように、皮下組織９１の熱抵抗Ｒｔの値の時間的推移を示すグラフＣ２を、時刻ｎでの熱抵抗差（Ｒｔ０′−Ｒｔｎ）の比例配分によって、グラフＣ２″へシフトさせることに相当する。
【００８０】
次に、図８のステップＳ１４に示すように、制御部３０は、時刻毎の補正後の深部体温Ｔｂの値Ｔｂ１″，Ｔｂ２″，…，Ｔｂｉ″，…，Ｔｂｎ−１″を、それぞれ、時刻毎の補正後の皮下組織９１の熱抵抗Ｒｔの値Ｒｔ１″，Ｒｔ２″，…，Ｒｔｉ″，…，Ｒｔｎ−１″を用いて求める。この例では、
Ｔｂｉ″＝Ｔａｉ＋Ｒｔｉ″×（Ｔｔｉ−Ｔａｉ）                  …（Ｅｑ．３）
（但し、ｉ＝１，２，…，ｎ−１とする。）
なる演算式Ｅｑ．３によって、時刻毎の補正後の深部体温Ｔｂの値Ｔｂ１″，Ｔｂ２″，…，Ｔｂｉ″，…，Ｔｂｎ−１″を求める。この演算は、図１１（Ｄ）中に示すように、深部体温Ｔｂの値の時間的推移を示すグラフＣ１を、時刻ｎでの温度差（Ｔｂ０′−Ｔｂｎ）の向きに応じて、グラフＣ１″へシフトさせることに相当する。
【００８１】
この後、図８のステップＳ１５に示すように、制御部３０は、補正後のデータを表１のデータテーブルに記録する。具体的には、「補正後Ｒｔ」欄に、時刻毎の補正後の皮下組織９１の熱抵抗Ｒｔの値Ｒｔ１″，Ｒｔ２″，…，Ｒｔｉ″，…，Ｒｔｎ−１″を記録する。また、「補正後Ｔｂ」欄に、時刻毎の補正後の深部体温Ｔｂの値Ｔｂ１″，Ｔｂ２″，…，Ｔｂｉ″，…，Ｔｂｎ−１″を記録する。なお、外部から入力された深部体温Ｔｂの初期値Ｔｂ０、Ｔｂ０′については、補正の必要が無いため、そのままの値Ｔｂ０、Ｔｂ０′を「補正後Ｔｂ」欄に記録する。
【００８２】
このようにして、制御部３０は、表１のデータテーブルに記録されているデータを補正する。データ補正が完了すると、既述のように、図７のステップＳ２に戻って、第１の演算（ステップＳ２〜Ｓ３）（リフレッシュ）、第２の演算（ステップＳ４〜Ｓ５）、データの記録（ステップＳ６）を繰り返す。そして、再び図７のステップＳ７で深部体温Ｔｂの新たな初期値Ｔｂ０′が入力されると、前回のデータ補正後に表１のデータテーブルに蓄積されたデータを、図８のフローに従って補正する。
【００８３】
これにより、補正後の深部体温Ｔｂの値Ｔｂ１″，Ｔｂ２″，…，Ｔｂｉ″，…，Ｔｂｎ−１″は、皮下組織９１の熱抵抗Ｒｔの現在の値Ｒｔ０′（入力された深部体温Ｔｂの新たな初期値Ｔｂ０′に対応する）を反映したものとなる。したがって、この深部体温計１０によれば、生体の深部体温Ｔｂをさらに精度良く求めることができる。
【００８４】
なお、上の例では、表１のデータテーブルに、皮下組織９１の熱抵抗Ｒｔの値Ｒｔ０，Ｒｔ１，Ｒｔ２，…，Ｒｔｉ，Ｒｔｉ＋１，…，Ｒｔｎ−１，Ｒｔｎが記録されるものとした。しかしながら、これに限られるものではなく、表１のデータテーブルから、皮下組織９１の熱抵抗Ｒｔの項目を省略してもよい。その場合、外部から深部体温Ｔｂの新たな初期値Ｔｂ０′が入力されたときに、表１のデータテーブルに記録されている第１温度センサ２１が検出した温度Ｔｔ０，Ｔｔ１，Ｔｔ２，…，Ｔｔｉ，Ｔｔｉ＋１，…，Ｔｔｎ−１，Ｔｔｎ、および、第２温度センサ２２が検出した温度Ｔａ０，Ｔａ１，Ｔａ２，…，Ｔａｉ，Ｔａｉ＋１，…，Ｔａｎ−１，Ｔａｎに基づいて、皮下組織９１の熱抵抗Ｒｔの値Ｒｔ１，Ｒｔ２，…，Ｒｔｉ，…，Ｒｔｎ−１を求め、さらに、補正後の皮下組織９１の熱抵抗Ｒｔの値Ｒｔ１″，Ｒｔ２″，…，Ｒｔｉ″，…，Ｒｔｎ−１″、補正後の深部体温Ｔｂの値Ｔｂ１″，Ｔｂ２″，…，Ｔｂｉ″，…，Ｔｂｎ−１″を求めてもよい。
【００８５】
このようにして、表１のデータテーブルに深部体温Ｔｂに関する様々なデータを蓄積できる。表１のデータテーブルに蓄積されたデータ（特に、補正後の深部体温Ｔｂの値Ｔｂ１″，Ｔｂ２″，…，Ｔｂｉ″，…，Ｔｂｎ−１″）は、制御部３０が通信部３８を出力部として機能させて、ネットワーク９００を介して外部の装置へ出力することができる。出力のタイミングは、様々に想定される。例えば、出力のタイミングは、外部の装置から深部体温Ｔｂに関するデータについて出力要求があった時点とする。その場合、表１のデータテーブル中でデータ補正（図７のステップＳ８）が完了しているデータについては、「補正後のＴｂ」欄のデータを出力する一方、データ補正（図７のステップＳ８）が完了していないデータ（最後のリフレッシュが行われた後に得られたデータ）については、未補正の「Ｔｂ」欄のデータを出力するものとする。
【００８６】
また、深部体温Ｔｂに関するデータを一定周期（例えば、１０分間毎、３０分間毎など）で出力してもよい。また、深部体温Ｔｂが急激に変化したタイミング、深部体温Ｔｂの極小値または極大値が得られたタイミングで出力してもよい。また、第１温度センサ２１が検出する温度、第２温度センサ２２が検出する温度の変化に基づいて、深部体温計１０が体表面９０から取り外されたことを検出し、その取り外されたタイミングで出力してもよい。このように、深部体温計１０が深部体温Ｔｂに関するデータを出力するタイミングは、様々に設定され得る。
【００８７】
また、深部体温計１０は、データ補正（図７のステップＳ８）を行うことなく、深部体温Ｔｂに関するデータ（特に、深部体温Ｔｂの現在値Ｔｂｉ，Ｔｂｉ＋１，…）をリアルタイムで出力してもよい。その場合、この深部体温計１０のユーザ（被測定者を含む。）は、深部体温Ｔｂに関するデータをリアルタイムで知ることができる。
【００８８】
図９（Ａ）は、深部体温計１０によって深部体温Ｔｂの初期値Ｔｂ０（または新たな初期値Ｔｂ０′を指す。この段落およびこの段落に続く２段落において、同様。）を設定する処理のフローを例示している。この処理では、図９（Ａ）のステップＳ１０１に示すように、制御部３０が熱流状態判定部として働いて、第１温度センサ２１が検出する温度Ｔｔが第２温度センサ２２が検出する温度Ｔａに等しい状態が予め定められた一定期間（例えば１分間）継続したか否かを判定する。第１温度センサ２１が検出する温度Ｔｔが第２温度センサ２２が検出する温度Ｔａに等しい状態が一定期間継続したとき（ステップＳ１０１でＹＥＳ）は、生体の深部９２から大気９９への熱流（または大気９９から生体の深部９２への熱流）が無い状態であると考えられる。そのとき、図９（Ａ）のステップＳ１０２に示すように、制御部３０が第１初期値設定部として働いて、その期間終了時点で第１温度センサ２１が検出した温度Ｔｔ（または第２温度センサ２２が検出した温度Ｔａ）を、深部体温Ｔｂの初期値Ｔｂ０として設定する。これにより、ユーザが外部から深部体温Ｔｂの初期値Ｔｂ０を入力しなくても、また、深部体温計１０が特別なハードウェアを備えなくても、深部体温Ｔｂの初期値Ｔｂ０が精度良く得られる。
【００８９】
図９（Ｂ）は、深部体温計１０によって深部体温Ｔｂの初期値Ｔｂ０を設定する処理の別のフローを例示している。この処理を行う場合、深部体温計１０のケーシング１１の上面１１ａに、例えば図示しない圧力センサ、インピーダンスセンサ、静電容量センサ、または光電センサが設けられているものとする。図９（Ｂ）のステップＳ２０１に示すように、制御部３０は覆われ判定部として働いて、そのセンサの出力に基づいて、この深部体温計１０（断熱材２５、第１温度センサ２１および第２温度センサ２２の三要素を含む。）が生体の体表面９０とこの体表面９０以外の部分とで覆われたか否かを判定する。この深部体温計１０が生体の体表面９０とこの体表面９０以外の部分とで覆われたと判定されたとき（ステップＳ２０１でＹＥＳ）、図９（Ｂ）のステップＳ２０２に示すように、制御部３０が第２初期値設定部として働いて、公知の手法により、第１温度センサ２１が検出する温度Ｔｔ（または第２温度センサ２２が検出する温度Ｔａ）の時間変化に基づいて、第１温度センサ２１が検出する温度Ｔｔ（または第２温度センサ２２が検出する温度Ｔａ）の予測される到達温度（予測到達温度）を求める。そして、図９（Ｂ）のステップＳ２０３に示すように、その予測到達温度を深部体温Ｔｂの初期値Ｔｂ０として設定する。これにより、ユーザが外部から深部体温Ｔｂの初期値Ｔｂ０を入力しなくても、深部体温Ｔｂの初期値Ｔｂ０が精度良く得られる。しかも、到達温度を予測しているので、予測到達温度、したがって深部体温Ｔｂの初期値Ｔｂ０が迅速に得られる。
【００９０】
ユーザは、深部体温計１０に図９（Ａ）または図９（Ｂ）のフローによって深部体温Ｔｂの初期値Ｔｂ０を設定する処理を行わせて、得られた深部体温Ｔｂの初期値Ｔｂ０を任意のタイミングで図７の処理フロー（ステップＳ１、Ｓ７）に用いることができる。また、次に述べるように、リフレッシュ条件、すなわち、入力された深部体温Ｔｂの新たな初期値Ｔｂ０′を用いて制御部３０が第１の演算（図７のステップＳ２〜Ｓ３）を開始すべき条件が満たされたか否かを判断して、リフレッシュを行うようにしてもよい。
【００９１】
図１０は、深部体温計１０におけるリフレッシュ条件判定のフローを示している。
【００９２】
まず、図１０のステップＳ４０１に示すように、制御部３０がリフレッシュ条件判定部として働いて、予め定められたリフレッシュ条件が満たされたか否かを判定する。
【００９３】
この例では、リフレッシュ条件としては、第１温度センサ２１が検出する現在の温度Ｔｔｉが、第２温度センサ２２が検出する現在の温度Ｔａｉよりも大きく、かつ、求められた深部体温Ｔｂの現在値Ｔｂｉ（またはＴｂｉ＋１。この段落において、以下同様。）よりも大きいという条件、すなわち、Ｔｔｉ＞ＴａｉかつＴｔｉ＞Ｔｂｉという条件が含まれる。これは、熱流の観点から、Ｔｔｉ＞Ｔａｉなる関係とＴｔｉ＞Ｔｂｉなる関係とが同時に成立することは、異常であると考えられるからである。これにより、リフレッシュを行うべきか否かが正しく判断される。
【００９４】
次に、上記リフレッシュ条件が満たされたと判定されたとき（ステップＳ４０１でＹＥＳ）、制御部３０がリフレッシュ要求報知部として働いて、この例ではブザー３７によってアラーム音を鳴らすことによって、リフレッシュ要求、すなわち、入力された深部体温Ｔｂの新たな初期値Ｔｂ０′を用いて制御部３０が第１の演算（図７のステップＳ２〜Ｓ３）を開始すべきことを報知する（図１０のステップＳ４０２）。例えば、リフレッシュ要求のためのアラーム音の鳴らし方は、１秒間の周期でオン、オフを２回繰り返すものとする。
【００９５】
このアラーム音による報知によって、ユーザは、リフレッシュを可能にすることを促される。これにより、ユーザは、例えば、この深部体温計１０とは別の温度測定デバイス（体温計など）によって深部体温Ｔｂの初期値Ｔｂ０′を取得し、その深部体温Ｔｂの初期値Ｔｂ０′を表すデータを、外部の装置から通信部３８を介して無線通信で入力する（図１０のステップＳ４０３でＹＥＳ）。その結果、リフレッシュが行われて、制御部３０によって求められた深部体温Ｔｂの現在値Ｔｂｉ，Ｔｂｉ＋１，…が再び精度の良いものとなる。また、ユーザは、深部体温計１０に図９（Ａ）または図９（Ｂ）のフローによって深部体温Ｔｂの初期値Ｔｂ０′を設定する処理を行わせて、得られた深部体温Ｔｂの初期値Ｔｂ０′を図７に示した処理フローに用いることができる（図１０のステップＳ４０３でＹＥＳ）。その結果、リフレッシュが行われて、制御部３０によって求められた深部体温Ｔｂの現在値Ｔｂｉ，Ｔｂｉ＋１，…が再び精度の良いものとなる。
【００９６】
リフレッシュ要求が行われてから、深部体温Ｔｂの初期値Ｔｂ０′が入力されなければ、予め定められた一定期間（例えば１０分間）待った後（図１０のステップＳ４０４でＹＥＳ）、この例ではブザー３７によって再びアラーム音を鳴らすことによって、測定エラーを報知する（図１０のステップＳ４０５）。これにより、深部体温Ｔｂの測定精度が疑わしい状態で、ユーザが測定し続けるのを防止できる。
【００９７】
測定エラー報知のためのアラーム音の鳴らし方は、リフレッシュ要求のためのアラーム音の鳴らし方とは異なるものとするのが望ましい。例えば、リフレッシュ要求のためのアラーム音の鳴らし方を１秒間の周期でオン、オフを２回繰り返すものとしたとき、測定エラー報知のためのアラーム音の鳴らし方は、例えば２秒間の周期でオン、オフを１０回繰り返すものとする。これにより、ユーザは、測定エラーが起こったことを、リフレッシュ要求と区別して、明確に認識できる。
【００９８】
（第２実施形態）
図１２は、上述の深部体温計１０を含むシステム（全体を符号３００で示す。）の構成を例示している。このシステム３００は、深部体温計１０と、深部体温Ｔｂの初期値を実測するための温度測定デバイスとしての電子体温計１００と、情報端末としてのスマートフォン２００とを、ネットワーク９００を介して互いに無線通信可能に備えている。
【００９９】
電子体温計１００は、ペン形の外形をもつ市販のものであり、本体１００Ｍと、この本体１００Ｍから一方向に突出して設けられた温度センサ１２１とを含んでいる。本体１００Ｍには、制御部１３０と、通信部１３８と、電池１３９とが搭載されている。制御部１３０は、温度センサ１２１が出力する温度データを処理し、処理したデータを、通信部１３８から出力させる。通信部１３８は、ネットワーク９００を介して、無線通信（例えば、ＢＴ通信、ＢＬＥ通信など）可能に構成されている。温度センサ１２１は、この例ではサーミスタからなっているが、熱電対であっても良い。
【０１００】
スマートフォン２００は、本体２００Ｍと、この本体２００Ｍに搭載された、制御部２１０と、メモリ２２０と、操作部２３０と、表示器２４０と、通信部２８０と、電池２９０とを含んでいる。このスマートフォン２００は、市販のスマートフォンに、深部体温測定に関する情報の処理を行わせるようにアプリケーションソフトウェア（これを「深部体温測定プログラム」と呼ぶ。）をインストールしたものである。
【０１０１】
制御部２１０は、ＣＰＵおよびその補助回路を含み、スマートフォン２００の各部を制御し、メモリ２２０に記憶されたプログラムおよびデータに従って処理を実行する。例えば、操作部２３０を介して入力された指示に基づいて、通信部２８０から入力されたデータを処理し、処理したデータを、メモリ２２０に記憶させたり、表示器２４０で表示させたり、通信部２８０を介して出力させたりする。
【０１０２】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、半導体メモリ（メモリカード、ＳＳＤ（Solid State Drive））などが用いられてもよい。
【０１０３】
操作部２３０は、この例では、表示器２４０上に設けられたタッチパネルからなっている。なお、キーボードその他のハードウェア操作デバイスを含んでいても良い。
【０１０４】
表示器２４０は、この例ではＬＣＤ（液晶表示素子）または有機ＥＬ（エレクトロルミネッセンス）ディスプレイからなる表示画面を含む。表示器２４０は、制御部２１０による制御に従って、様々な画像を表示画面に表示させる。
【０１０５】
通信部２８０は、制御部２１０による制御に従って、深部体温計１０および電子体温計１００との間で無線通信（ＢＴ通信、ＢＬＥ通信など）を行う。
【０１０６】
このシステム３００は、全体として、次のように動作する。なお、深部体温計１０は、予め、図５に示したように被測定者の体表面９０に装着されているものとする。
【０１０７】
図１５のステップＳ５０１に示すように、まず、ユーザがスマートフォン２００の操作部２３０を操作して深部体温測定プログラムを起動する。これにより、スマートフォン２００の通信部２８０と電子体温計１００の通信部１３８とが無線通信のペアリングを行い、スマートフォン２００と電子体温計１００とが無線通信可能となる。また、スマートフォン２００の通信部２８０と深部体温計１０の通信部３８とが無線通信のペアリングを行い、スマートフォン２００と深部体温計１０とが無線通信可能となる。
【０１０８】
次に、図１５のステップＳ５０２に示すように、被測定者であるユーザが電子体温計１００の温度センサ１２１を自身の口中に一時的に挿入することによって、深部体温Ｔｂを実測する。電子体温計１００は、実測した深部体温Ｔｂを表すデータ（実測データ）を、通信部１３８を介して無線通信でスマートフォン２００へ出力する。
【０１０９】
次に、図１５のステップＳ５０３に示すように、スマートフォン２００は、深部体温測定プログラムの動作中に、電子体温計１００から深部体温Ｔｂを表す実測データを、通信部２８０を介して無線通信で受信し、深部体温計１０へ転送する。
【０１１０】
次に、図１５のステップＳ５０４に示すように、深部体温計１０では、制御部３０が通信部３８を入力部として機能させて、そのデータを深部体温Ｔｂの初期値Ｔｂ０として入力する。したがって、深部体温Ｔｂの初期値を表すデータを簡単に入力できる。これにより、深部体温計１０は、既述の図７の処理フローによって、深部体温Ｔｂの現在値Ｔｂｉ，Ｔｂｉ＋１，…を繰り返し継続的に求める。また、スマートフォン２００から深部体温Ｔｂの新たな初期値Ｔｂ０′が入力されたときは、既述の図８の処理フローによってデータ補正を行って、補正後の深部体温Ｔｂの値Ｔｂ１″，Ｔｂ２″，…，Ｔｂｉ″，…，Ｔｂｎ−１″を求める。また、入力された深部体温Ｔｂの新たな初期値Ｔｂ０′を用いて既述のリフレッシュを行って、求められる深部体温Ｔｂの現在値Ｔｂｉ，Ｔｂｉ＋１，…の精度を高める。これらの深部体温Ｔｂに関するデータは、メモリ３１に記録され、蓄積される。
【０１１１】
次に、図１５のステップＳ５０５に示すように、ユーザが、この例ではスマートフォン２００の深部体温測定プログラム上から、無線通信で、深部体温計１０へ深部体温Ｔｂに関するデータの出力を要求する。
【０１１２】
次に、図１５のステップＳ５０６に示すように、その出力要求があったタイミングで、深部体温計１０がスマートフォン２００へ深部体温Ｔｂに関するデータを出力する。その場合、表１のデータテーブル中でデータ補正（図７のステップＳ８）が完了しているデータについては、「補正後のＴｂ」欄のデータを出力する一方、データ補正（図７のステップＳ８）が完了していないデータ（最後のリフレッシュが行われた後に得られたデータ）については、未補正の「Ｔｂ」欄のデータを出力するものとする。
【０１１３】
次に、図１５のステップＳ５０７に示すように、スマートフォン２００が、深部体温Ｔｂに関するデータをグラフ化し、表示器２４０に表示する。
【０１１４】
具体的には、スマートフォン２００では、制御部２１０が深部体温測定プログラムを実行して表示処理部として働いて、深部体温Ｔｂに関して、時間的推移をグラフ化する処理、または、統計処理して得られた結果をグラフ化する処理を行う。この結果、図１３に例示するように、表示器２４０に、深部体温Ｔｂの時間的推移を表すグラフを表示できる。ここで、図１３は、１日の時刻による深部体温Ｔｂの時間的推移を示している。または、図１４に例示するように、表示器２４０に、深部体温Ｔｂを統計処理して得られた結果を表すグラフを表示できる。ここで、図１４は、最近の１ヶ月間にわたる日ごとの深部体温Ｔｂの最高値（実線で示す最高体温）、最低値（破線で示す最高体温）の推移を示している。このように、スマートフォン２００は、表示器２４０に、深部体温計１０から無線通信によって得られた深部体温Ｔｂに関する様々な表示を行う。したがって、ユーザは、表示器２４０を見て、深部体温Ｔｂに関する情報を知ることができる。
【０１１５】
上述のシステム３００では、スマートフォン２００から深部体温計１０へ深部体温Ｔｂに関するデータの出力を要求し、その出力要求があったタイミングで、深部体温計１０がスマートフォン２００へ深部体温Ｔｂに関するデータを出力するものとした。しかしながら、これに限られるものではない。深部体温計１０は、データ補正（図７のステップＳ８）を行うことなく、深部体温Ｔｂに関するデータ（特に、深部体温Ｔｂの現在値Ｔｂｉ，Ｔｂｉ＋１，…）をリアルタイムで出力してもよい。その場合、このシステム３００のユーザ（被測定者を含む。）は、深部体温Ｔｂに関するデータをリアルタイムで知ることができる。
【０１１６】
また、上述のシステム３００では、深部体温計１０のメモリ３１に表１のデータテーブルが設定されるものとしたが、これに限られるものではない。深部体温計１０のメモリ３１に代えて、スマートフォン２００のメモリ２２０に表１のデータテーブルが設定されてもよい。さらに、その場合、データ補正（図７のステップＳ８）を、深部体温計１０の制御部３０に代えて、スマートフォン２００の制御部２１０が実行してもよい。
【０１１７】
また、上述のシステム３００では、リフレッシュ要求（図１０のステップＳ４０２）、測定エラー報知（図１０のステップＳ４０５）を、深部体温計１０のブザー３７の鳴動に代えて、またはそれに加えて、スマートフォン２００の表示器２４０上の表示（または、図示しないブザーの鳴動、図示しない振動器の振動など）によって行ってもよい。例えば、リフレッシュ要求については、スマートフォン２００の表示器２４０に「深部体温の初期値を入力してください」というように表示する。これにより、ユーザは、リフレッシュ要求があったことを確実に認識できる。測定エラー報知については、「測定エラーが発生しました。深部体温計１０を再起動してください。」というように表示する。これにより、ユーザは、測定エラーが発生したことを確実に認識できる。
【０１１８】
また、上述のシステム３００では、実測された深部体温Ｔｂの初期値Ｔｂ０，Ｔｂ０′を表すデータを、電子体温計１００からスマートフォン２００を介して間接的に深部体温計１０に入力したが、これに限られるものではない。実測された深部体温Ｔｂの初期値Ｔｂ０，Ｔｂ０′を表すデータを、電子体温計１００から無線通信によって直接に深部体温計１０に入力してもよい。
【０１１９】
上述の実施形態では、ネットワーク９００を介した通信は、無線通信であるとしたが、これに限られるものではない。ネットワーク９００を介した通信は、有線通信、例えばＵＳＢ（Universal Serial Bus）ケーブルなどを用いた通信であってもよい。
【０１２０】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１２１】
１０  深部体温計
１１  ケーシング
２１  第１温度センサ
２２  第２温度センサ
２５  断熱材
３０，１３０，２１０  制御部
３１，２２０  メモリ
３７  ブザー
３８，１３８，２８０  通信部
１００  電子体温計
１２１  温度センサ
２００  スマートフォン
２４０  表示器
３００  システム
【図１】
2018013395.tif 000004
【図２】
2018013395.tif 000005
【図３】
2018013395.tif 000006
【図４】
2018013395.tif 000007
【図５】
2018013395.tif 000008
【図６】
2018013395.tif 000009
【図７】
2018013395.tif 000010
【図８】
2018013395.tif 000011
【図９】
2018013395.tif 000012
【図１０】
2018013395.tif 000013
【図１１】
2018013395.tif 000014
【図１２】
2018013395.tif 000015
【図１３】
2018013395.tif 000016
【図１４】
2018013395.tif 000017
【図１５】
2018013395.tif 000018